(57)【要約】【課題】配電線を地中化した場合に路上に設置される変圧器、開閉器等の電気機器が、高潮、洪水等によって水中に浸漬したり水没した場合であっても、ケーシング内部の電気機器が完全に浸水して使用不能に陥ることを防止するようにした路上機器の防水カバーを提供する。【解決手段】地上に設置される電気機器２１と、電気機器を包囲するケーシング２２と、を備えた路上機器２０を包囲する防水カバー１であって、ケーシングの上面を被覆する上部カバー片３、及びケーシングの全側面を被覆する側部カバー片５を備え、側部カバー片の裾部には路上機器の下部適所に設けた被係止部２５と着脱自在に係着する係止部６を備えている。【選択図】図１
2008054403.tif 000002
【特許請求の範囲】
【請求項１】
地上に設置される電気機器と、該電気機器を包囲するケーシングと、を備えた路上機器を包囲する防水カバーであって、
前記ケーシングの上面を被覆する上部カバー片、及び前記ケーシングの全側面を被覆する側部カバー片を備え、前記側部カバー片の裾部には前記路上機器の下部適所に設けた被係止部と着脱自在に係着する係止部を備えていることを特徴とする路上機器の防水カバー。
【請求項２】
前記各カバー片は、予め前記ケーシングの各面を被覆可能な形状に寸法設定された樹脂シートにより構成され、前記側部カバー片の裾部には線材が周方向に沿って配置されていることを特徴とする請求項１に記載の路上機器の防水カバー。
【請求項３】
前記線材は金属線材であり、その一部を変形させることにより前記路上機器外面に前記側部カバー片の裾部を密着可能に構成されていることを特徴とする請求項２に記載の路上機器の防水カバー。
【請求項４】
前記上部カバー片と前記側部カバー片は、着脱部材により着脱自在に構成されていることを特徴とする請求項１乃至３の何れか一項に記載の路上機器の防水カバー。
【請求項５】
前記側部カバー片は、複数の側部カバー小片と、各側部カバー小片を着脱する着脱部材と、を備えていることを特徴とする請求項１乃至４の何れか一項に記載の路上機器の防水カバー。
【請求項６】
前記路上機器外面に前記防水カバーを被せた状態において、該路上機器外面と前記防水カバー内面との間に十分な空気層を確保するように構成されていることを特徴とする請求項１乃至５の何れか一項に記載の路上機器の防水カバー。
【請求項７】
前記上部カバー片、及び側部カバー片は、折り畳み自在に連接されていることを特徴とする請求項１乃至６の何れか一項に記載の路上機器の防水カバー。
【請求項８】
前記側部カバー片は、蛇腹式に伸縮自在に構成されていることを特徴とする請求項１乃至７の何れか一項に記載の路上機器の防水カバー。
【発明の詳細な説明】
【技術分野】
【０００１】
本発明は配電線を地中化した場合に路上に設置される変圧器、開閉器等の電気機器が、高潮、洪水等によって水中に浸漬したり水没することによる故障等の不具合を解消することができる路上機器の防水カバーに関する。
【背景技術】
【０００２】
配電線を地中化する区域では、配電線を地中に埋設する一方で操作、メンテナンスする必要がある変圧器、開閉器等の電気機器については路上に配置している。これらの電気機器は地盤内に一部を埋設したコンクリート基盤上に立設固定されており、電気機器の外面はケーシングにより包囲されている。電気機器とケーシングを含めた路上機器は地面から１ｍ数十ｃｍ程度の高さを有しているのが一般的である。
【０００３】
ところで、海岸線や河川の近傍に地中化区域があり、この区域内に路上機器が設置されている場合、高潮や洪水により路上機器が浸水することがある。路上機器のケーシングには降雨に対する防水機能と２０〜２５ｃｍ程度の浸水に対する防水機能はあるものの、地面側からの浸水高さが３０ｃｍを超えた場合の防水措置は採られていないのが実情である。
なお、路上機器を構成する電気機器のうちでも変圧器は外気による冷却を必要とするため、これを包囲するケーシングに通気孔等を設ける必要があり、水害に備えた気密的な防水構造を常設することができないという事情がある。
【０００４】
特許文献１には架空送配電線に係る電気装置が開示されているが、このような密封構造の防水構造にあっては、内部の電気装置に通気性を確保する構造がないため、変圧器を収容できないという問題がある。
また、特許文献２には地中線用マンホールの防水管が開示され、特許文献３には地中配管接続構造に係る防水構造が開示されているが、何れも配線、配管の防水構造に関するものであり、地上機器を高潮、洪水による浸水から防護するための構造に関するものではない。
【特許文献１】特開２００５−２４５１０２公報
【特許文献２】特開２０００−０５９９６９公報
【特許文献３】特開２００１−２２１３７０公報
【発明の開示】
【発明が解決しようとする課題】
【０００５】
以上のように従来の地中配電線用の路上機器にあっては、高潮、洪水等によって浸水高さが３０ｃｍを超えた場合の防水対策がなされておらず、浸水によって電気機器が故障するという問題があった。一方、電気機器が変圧器のように空気による冷却を必要とする機器である場合には、滅多に発生しない高潮、洪水に備えて完全な防水のための気密構造を常設することができないという問題があった。
【０００６】
本発明は上記に鑑みてなされたものであり、配電線を地中化した場合に路上に設置される変圧器、開閉器等の電気機器が、高潮、洪水等によって水中に浸漬したり水没した場合であっても、ケーシング内部の電気機器が完全に浸水して使用不能に陥ることを防止するようにした路上機器の防水カバーを提供することを目的としている。
また、定常時においては路上機器のケーシングに設けた通気部による電気機器の冷却を可能とする一方で、高潮等の非常時にのみ防水構造を構築することができる路上機器の防水カバーを提供することを目的としている。
【課題を解決するための手段】
【０００７】
上記目的を達成するため、請求項１の発明に係る路上機器の防水カバーは、地上に設置される電気機器と、該電気機器を包囲するケーシングと、を備えた路上機器を包囲する防水カバーであって、前記ケーシングの上面を被覆する上部カバー片、及び前記ケーシングの全側面を被覆する側部カバー片を備え、前記側部カバー片の裾部には前記路上機器の下部適所に設けた被係止部と着脱自在に係着する係止部を備えていることを特徴とする。
路上機器に対して下側が開放した防水カバーを被せると共に、防水カバー下部を路上機器に固定することにより、高潮等により地盤が浸水した際に、防水カバー内の空気圧によって防水カバー内水位が一定以上に高くなったり、防水カバー裾部が捲れたり、防水カバー自体が脱落することを防止できる。また、防水カバーは着脱自在であるため、高潮等による浸水が発生する虞がある場合にのみ事前に取り付けておき、不要時には取り外せばよいので、ケーシング内部の電気機器の冷却を損なうことがない。
【０００８】
請求項２の発明は、請求項１において、前記各カバー片は、予め前記ケーシングを収容可能な形状に寸法設定された樹脂シートにより構成され、前記側部カバー片の裾部には締め付け用の線材が周方向に沿って配置されていることを特徴とする。
樹脂シートは、軽量でありながら十分な耐久性を備えた材質を選定できるので、防水カバーに適している。再使用も可能となる。しかも、防水カバーの裾部に線材を配置することにより、この線材を締め付けることにより防水カバー裾部を路上機器外面に密着させて水を浸入しにくくすると共に、内部空気の漏出を防止することができる。
【０００９】
請求項３の発明は、請求項２において、前記線材は金属線材であり、その一部を変形させることにより前記路上機器外面に前記側部カバー片の裾部を密着可能に構成されていることを特徴とする。
請求項４の発明は、請求項１乃至３の何れか一項において、前記上部カバー片と前記側部カバー片は、着脱部材により着脱自在に構成されていることを特徴とする。
各カバー片を予め連接一体化するのではなく、当初開放状態にしておき、現場において路上機器の形状、設置環境に合わせて最適の組付け状態を選択することができる。
請求項５の発明は、請求項１乃至４の何れか一項において、前記側部カバー片は、複数の側部カバー小片と、各側部カバー小片を着脱する着脱部材と、を備えていることを特徴とする。
【００１０】
請求項６の発明は、請求項１乃至５の何れか一項において、前記路上機器外面に前記防水カバーを被せた状態において、該路上機器外面と前記防水カバー内面との間に十分な空気層を確保するように構成されていることを特徴とする。
空気層の存在によって防水カバー内部の空気量を増やして、下側の開放部からの水の浸入量を抑えることが可能となる。
請求項７の発明は、請求項１乃至６の何れか一項において、前記上部カバー片、及び側部カバー片は、折り畳み自在に連接されていることを特徴とする。
折り畳み可能に構成することにより、保管、運搬等の取扱性が向上する。
請求項８の発明は、請求項１乃至７の何れか一項において、前記側部カバー片は、蛇腹式に伸縮自在に構成されていることを特徴とする。
蛇腹式の収納、展開構造とすれば、取扱性が更に向上する。
【発明の効果】
【００１１】
本発明によれば、高潮等による浸水の虞がある場合に路上機器の外面を防水カバーにより被覆するようにしたので、配電線を地中化した場合に路上等の地盤上に突出して設置される変圧器、開閉器等の電気機器が、高潮、洪水等によって水中に浸漬したり水没した場合であっても、防水カバー内の空気圧によりカバー内水位が所定以上に上昇することを防止でき、ケーシング内部の電気機器が完全に浸水して使用不能に陥ることを防止することができる。
また、定常時においては路上機器のケーシングに設けた通気部による電気機器の冷却を可能とする一方で、高潮等の非常時にのみ防水構造を構築することができる。
【発明を実施するための最良の形態】
【００１２】
以下、本発明を図面に示した実施の形態により詳細に説明する。
図１（ａ）は本発明の一実施形態に係る路上機器の防水カバーの構成と路上機器の構成を示す斜視図であり、（ｂ）はＡ−Ａ断面図であり、図２（ａ）は路上機器に防水カバーを取り付けた状態を示す斜視図、（ｂ）及び（ｃ）は係止部及び被係止部の構成を示す正面図、及び側面図である。
【００１３】
防水カバー１は、地上に設置された配電線用の電気機器（変圧器、開閉器等）２１と、この電気機器２１を包囲するために組付けられるケーシング２２と、を備えた路上機器２０を包囲する手段であり、路上機器２０の上方から被せた上で適所を固定するように構成されている。
防水カバー１は、ＰＥＴ等の十分な強度を備えた樹脂シートから構成されケーシング２２の上面に添設されてこれを被覆する上部カバー片３、及び樹脂シートから構成されケーシング２２の全側面（４側面）を被覆する４枚の側部カバー片５を備えたカバー本体２を備えている。この例では、上部カバー片３と各側部カバー片５は各端縁にて一体化されている。
更に、各側部カバー片５の裾部には、路上機器の下部適所に設けた被係止部２５と着脱自在に係着する係止部６を備えている。
【００１４】
カバー本体２を構成する各カバー片３、５は予めケーシング２２の外形と整合する形状に寸法設定された樹脂シートにより構成され、側部カバー片５の裾部には線材１０が周方向全長に亘って配置されている。この例では、線材１０は金属線材であり、図１（ｂ）に示すように側部カバー片５の裾部内に金属線材１０を巻き込む形で一体化している。金属線材１０は、人手、或いは工具を用いることにより変形可能な硬度にしておくことにより、金属線材１０を部分的に変形させることによりケーシング２２の側面を締め付けて、これに密着し得るように構成する。線材１０は、樹脂、その他、十分な強度と可撓性を有した材料であれば、どのような材料であってもよい。
また、図１（ａ）に示すようにカバー本体２の外面の適所に取手１５を設けることにより、防水カバーの着脱操作性を高めることができる。
【００１５】
上部カバー片３と側部カバー片５は、ケーシング２２の外面に密着する必要はなく、むしろ後述するようにケーシング外面との間に空気層を形成し得る程度にその寸法設定を余裕をもって行うのが好ましい。カバー本体２の裾部を金属線材１０により密着させる一方で、カバー本体２とケーシング外面との間に所要の空気層が形成されることによりカバー本体内の内圧を高め、ケーシング内に浸水してきた海水等の水位が一定以上に高まることがないように抑制できるからである。
上部カバー片３、側部カバー片５は、図示のように必ずしも矩形である必要はなく、また、上部カバー片３と側部カバー片５の境界線が明確である必要はない。例えば、カバー本体２は、ケーシング２２の外形状に整合しない袋体であってもよい。
防水カバー１は、ＰＥＴ等の比較的軟質、且つ十分な強度を有した樹脂材料から構成することにより、各カバー片３、５の境界線（稜線）、その他の部位において折り曲げ可能となるため、全体として折り畳みが可能となり、非使用時にはコンパクト化して保管、収容することができる。また、水圧や強風に曝されても破損しない強度を確保できる。
【００１６】
路上機器２０は、地盤内に下部を埋設固定されたコンクリート製基盤２３上に電気機器２１を固定した上で、この基盤２３上にケーシング２２を立設固定した構成を有している。この例では、被係止部２５は基盤２３の側面にアンカーボルト２６により固定された金属リングである。
また、係止部６は、例えば被係止部２５に対して着脱可能なフック金具である。
なお、係止部６と被係止部２５は、海水や淡水によって溶けたり、或いは水圧等によって容易に剥離、分離しない構成、材料であれば、どのような着脱手段であってもよく、例えばマジックテープ（登録商標）、或いは両面テープであってもよい。
【００１７】
本発明の防水カバー１は、路上機器２０に対して常時取り付けておくものではなく、高潮や洪水が来ることが予測される場合にだけ事前に取り付けることにより防水対策とするものである。従って浸水が終了すれば、防水カバーは撤去される。路上機器２０を構成する電気機器２１が変圧器のように冷却を要する機器にあっては、浸水が終了すると共に速やかに防水カバーを撤去する必要がある一方で、開閉器のように温度上昇による不具合が少ない機器にあってはさほど速やかに防水カバーを撤去する必要はない。或いは、開閉器の場合には日常的に防水カバーを被せておいても差し支えない。
【００１８】
図３に示すように、本発明の防水カバー１は下方が開放しているために路上機器２０の上方から被せてから、その裾部に設けた係止部６を被係止部２５に係止することにより、浸水時の脱落が防止できる。また、カバー本体２の裾部は金属線材１０、或いは図示しない弾性線材（ゴムバンド）によりケーシング外面に密着しているので、カバー本体２とケーシング外面との間に十分な空気層を形成することによりカバー本体内（ケーシング内を含む）の内圧を高めることができる。この結果、カバー本体内の空気圧力が高まり、防水カバー１の下側開放部からの海水の内部への浸水を抑え、防水カバー内の水位の上昇を一定に抑えることが可能となる。例えば、地上から３０ｃｍ程度までが電気機器２１の浸水高さの限界水位であるとした場合、本発明の防水カバー１を路上機器外面に取り付けて、防水カバーの裾部を地上まで達するように構成することにより、内部の空気によって海水は上記浸水高さの限界水位まで上昇することができなくなる。図３に示した例では、外部の水位がＤ１であるにも関わらず、カバー内部の水位は内部の空気圧によりＤ１よりも低いＤ２に保たれている。
【００１９】
この際、防水カバー１の裾部は係止部６と被係止部２５によって路上機器側に固定され、しかも金属線材１０によりケーシング外面に密着しているので、海水、強風等によってばたついたり、捲れたり、外れたり、内部に海水が多量に浸入することがなくなる。
従って、防水カバー１の裾部ができるだけ地上近くまで達していることが好ましい。また、必要に応じてパッキン、テーピングを用いて防水カバー裾部と路上機器外面との間の固定力、水密性を高めることが好ましい。或いは、防水カバーの裾部のみならず、天面、側面等、任意の箇所をテープにより巻き付けて固定してもよい。
また、防水カバー１は、柔軟性を有した樹脂材料にて構成することにより、路上機器のサイズ、形状の違いに追従してこれをカバーすることができる。或いは、カバー本体２の裾部だけでも柔軟性のある材質により構成することにより、金属線材１０、テーピング等によって路上機器外面と密着させることが可能となり、防水性を高めることができる。
【００２０】
次に、図４は本発明の防水カバーの他の実施形態例であり、この実施形態では、防水カバー本体２を装着する前の状態では図示したように展開しておき、この防水カバー本体を路上機器の外面に被せた後で、接続代７に配置したマジックテープ（登録商標）、両面テープ等の着脱部材によって各カバー片間を連結する。必要に応じてカバー本体の裾部、その他の外面をテーピングする。
或いは、上部カバー片３と、側部カバー片５を構成する各側部カバー小片５ａとを着脱部材により着脱自在に構成したり、各側部カバー小片５ａ間を着脱部材により着脱自在に構成してもよい。
この実施形態に係る防水カバーにも必要に応じて取手を付けることは差し支えない。
【００２１】
次に図５（ａ）及び（ｂ）は本発明の他の実施形態に係る防水カバーの構成を示す斜視図であり、この防水カバー１は、樹脂材料から成るカバー本体２（側部カバー片５）を上下方向へ伸縮自在な蛇腹式に構成している点が特徴的である。非使用時には図５（ａ）のように収縮させることにより保管に適したコンパクトな形状とすることができる一方で、使用時には図５（ｂ）に示したように伸張させて路上機器外面に被せる。係止部６及び線材１０については、上記各実施形態の場合と同様にカバー本体の裾部に配置する。また、防水カバー１を路上機器の外面に固定した状態において、防水カバーが伸張することがないように予めカバー本体の伸張時の高さ寸法を路上機器の高さ寸法と合致させるように設計するのが好ましい。
この実施形態に係る防水カバーにも必要に応じて取手を付けることは差し支えない。
【００２２】
次に、図６は本発明の他の実施形態に係る防水カバーの構成を説明する断面図であり、この実施形態に係る防水カバー１は、カバー本体２の少なくとも一部にエアバッグ部１６を設けることにより、路上機器２０の外面に取付けられた時における防水カバー内部の空気圧を高めるようにしている。即ち、エアバッグ部１６は上部カバー片３、或いは／及び、側部カバー片５の少なくとも一部に設けた空間であり、カバー片の外部に設けた注入口１７から手動ポンプ等を用いて空気を注入してエアバッグ部内の空気圧を可能な限り高めることにより、防水カバー内の空気圧を高めて下方からの海水等の浸入、内部水位の上昇を防止することができる。
【００２３】
カバー本体２に対してエアバッグを設ける範囲、位置は任意である。
或いは、エアバッグ部内に周辺にある海水等を適量注入して防水カバーの重量を大きくすることにより、路上機器に対する防水カバーの取付け安定性を高めるようにしてもよい。
エアバッグ内に空気を注入するにしろ、海水等の液体を注入するにしろ、エアバッグの内圧を外気圧以上に高めた状態の防水カバーによって路上機器外面を覆うことにより、防水カバー内全体の空気圧を高めて、浸水時の内部水位の過剰な上昇を防止できる。
或いは、防水カバーとは別体のエアバッグをカバーとケーシングとの間に配置することによって、内部の空気圧を高めるようにしてもよい。
【００２４】
上記各実施形態に係る防水カバー１をＰＥＴ等の十分な強度を有した材料により構成すれば、復旧後に防水カバーを路上機器から取り外した後で、洗浄、乾燥してから保管し、再使用に供することができる利点もある。
【図面の簡単な説明】
【００２５】
【図１】（ａ）は本発明の一実施形態に係る路上機器の防水カバーの構成と路上機器の構成を示す斜視図、（ｂ）はＡ−Ａ断面図である。
【図２】（ａ）は路上機器に防水カバーを取り付けた状態を示す斜視図、（ｂ）及び（ｃ）は係止部及び被係止部の構成を示す正面図、及び側面図である。
【図３】浸水時における本発明の防水カバーによる防水効果を説明する図である。
【図４】本発明の防水カバーの他の実施形態例の説明図である。
【図５】（ａ）及び（ｂ）は本発明の他の実施形態に係る防水カバーの構成を示す斜視図である。
【図６】本発明の他の実施形態に係る防水カバーの構成を説明する断面図である。
【符号の説明】
【００２６】
１…防水カバー、２…カバー本体、３…上部カバー片、５…側部カバー片、５ａ…各側部カバー小片、６…係止部、７…接続代、１０…線材、１５…取手、１６…エアバッグ部、１７…注入口、２０…路上機器、２１…電気機器、２２…ケーシング、２３…コンクリート製基盤、２５…被係止部、２６…アンカーボルト。
【図１】
2008054403.tif 000003
【図２】
2008054403.tif 000004
【図３】
2008054403.tif 000005
【図４】
2008054403.tif 000006
【図５】
2008054403.tif 000007
【図６】
2008054403.tif 000008